【事件の表示】
　特願２０１２−　８２８１３「遊技台」拒絶査定不服審判事件〔平成２５年１０月１７日出願公開、特開２０１３−２１２１８１〕について、次のとおり審決する。
【結　論】
　本件審判の請求は、成り立たない。
【理　由】
第１　手続の経緯
　本願は，平成２４年３月３０日の出願であって，平成２５年３月２２日に手続補正書が提出され，平成２６年６月１３日付けで拒絶理由が通知され，それに対し，同年８月１８日に意見書及び手続補正書が提出され，平成２７年５月２７日付けで最後の拒絶理由が通知され，これに対し同年７月２９日に意見書及び手続補正書が提出されたが，同年１２月１７日付けで補正の却下の決定がなされるとともに拒絶査定がなされ，それに対して，平成２８年３月８日に拒絶査定不服審判の請求がなされるとともに手続補正書が提出されたものである。
第２　平成２８年３月８日付けの手続補正についての補正却下の決定
[補正却下の決定の結論］
　平成２８年３月８日付けの手続補正（以下「本件補正」という。）を却下する。
［理由］
１．本件補正の概要
　本件補正は特許請求の範囲の請求項１〜１３の記載を含む補正であり，平成２６年８月１８日付けの手続補正と本件補正の特許請求の範囲の請求項１の記載はそれぞれ，以下のとおりである（下線部は補正を示す。）。
（補正前：平成２６年８月１８日付けの手続補正）
「【請求項１】
　図柄変動表示を少なくとも実行可能な第一の表示手段と，
　複数種類の保留アイコンを少なくとも表示可能な第二の表示手段と，
　複数種類の先読み予告を少なくとも実行可能な予告手段と，
を備えた遊技台であって，
　前記第二の表示手段は，表示された保留アイコンの数により保留数を少なくとも報知可能な表示手段であり，
　前記保留数とは，開始が保留されている前記図柄変動表示の数のことであり，
　前記複数種類の保留アイコンのうちの少なくとも一つは，第一の保留アイコンであり，
　前記複数種類の保留アイコンのうちの少なくとも一つは，第二の保留アイコンであり，
　前記第二の保留アイコンは，大当りとなる場合にのみ表示される場合がある保留アイコンであり，
　前記第二の保留アイコンは，前記第一の保留アイコンとは表示態様が少なくとも異なる保留アイコンであり，
　前記複数種類の先読み予告のうちの少なくとも一つは，第一の先読み予告であり，
　前記複数種類の先読み予告のうちの少なくとも一つは，第二の先読み予告であり，
　前記第一の先読み予告は，前記第二の保留アイコンを用いた先読み予告であり，
　前記第二の先読み予告は，前記保留アイコンを用いない先読み予告であり，
　前記予告手段は，前記第一の先読み予告を開始した後で前記第二の先読み予告を少なくとも開始可能な手段であり，
　前記第一の先読み予告と前記第二の先読み予告は，同じ前記図柄変動表示（以下，「第一の図柄変動表示」という。）を対象として実行される先読み予告であり，
　前記第一の先読み予告は，前記第一の図柄変動表示とは別の図柄変動表示が大当りとなることに関連して少なくとも終了される先読み予告であり，
　前記第一の先読み予告は，前記第二の先読み予告が開始される前に少なくとも終了される先読み予告であり，
　前記第二の先読み予告は，前記第一の図柄変動表示が大当りとなることを少なくとも報知可能な先読み予告である，
ことを特徴とする遊技台。」
（補正後：本件補正：平成２８年３月８日付け手続補正）
「【請求項１】
　図柄変動表示
を実
　複数種類の保留アイコン
を表
　複数種類の先読み予告
を実
を備えた遊技台であって，
　前記第二の表示手段は，表示された保留アイコンの数により保留数
を報
　前記保留数とは，
前記図柄変動表示の
る数
　前記複数種類の保留アイコンのうち
の一
　前記複数種類の保留アイコンのうち
の一
　前記第二の保留アイコンは，大当りとなる場合にのみ表示
可能な
　前記第二の保留アイコンは，前記第一の保留アイコンとは表示態様
が異
　前記複数種類の先読み予告のうち
の一
　前記複数種類の先読み予告のうち
の一
　
前記複数種類の先読み予告のうちの一つは，第三の先読み予告であり，
　前記第一の先読み予告は，前記第二の保留アイコンを用いた先読み予告であり，
　前記第二の先読み予告は，前記保留アイコンを用いない先読み予告であり，
　
前記第三の先読み予告は，前記第二の保留アイコンを用いた先読み予告であり，
　前記予告手段は，前記第一の先読み予告を開始した後で前記第二の先読み予告
を開
　前記第一の先読み予告と前記第二の先読み予告
と前記第三の先読み予告
　前記第一の先読み予告は，前記第一の図柄変動表示
よりも先に開始された
（以下，「第二の図柄変動表示」という。）
て終
　
大当り遊技の実行中に前記複数種類の保留アイコンが表示されないように構成されており，
　前記第一の先読み予告は，前記第二の先読み予告が開始される前
に終
　前記第二の先読み予告は，前記第一の図柄変動表示が大当りとなること
を報
り
　
前記第二の先読み予告は，前記第二の図柄変動表示に応じた前記大当り遊技（以下，「第三の大当り遊技」という。）の実行中に開始される場合がある先読み予告であり，
　
前記第三の先読み予告は，前記第三の大当り遊技が終了してから前記第一の図柄変動表示が開始されるまでの間に開始される場合がある先読み予告である，
ことを特徴とする遊技台。」
２．補正の適否
（１）補正事項
（ア）補正事項ア
　補正事項アは，補正前の請求項１の複数箇所に記載されている「少なくとも」を削除するものである。
（イ）補正事項イ
　補正事項イは，補正前の請求項１に記載の「前記保留数とは，開始が保留されている前記図柄変動表示の数のことであり，」を，「前記保留数とは，前記図柄変動表示の開始が保留されている数のことであり，」に補正するものである。
（ウ）補正事項ウ
　補正事項ウは，補正前の請求項１に記載の「大当りとなる場合にのみ表示される場合がある保留アイコンであり，」を，「大当りとなる場合にのみ表示可能な保留アイコンであり，」に補正するものである。
（エ）補正事項エ
　補正事項エは，「先読み予告」について，補正前の請求項１に，「前記複数種類の先読み予告のうちの一つは，第三の先読み予告であり，」及び「前記第三の先読み予告は，前記第二の保留アイコンを用いた先読み予告であり，」との記載を付加し，補正前の請求項１に記載の「前記第一の先読み予告と前記第二の先読み予告は，同じ前記図柄変動表示（以下，「第一の図柄変動表示」という。）を対象として実行される先読み予告であり，」を，「前記第一の先読み予告と前記第二の先読み予告と前記第三の先読み予告は，同じ前記図柄変動表示（以下，「第一の図柄変動表示」という。）を対象として実行される先読み予告であり，」に補正するものである。
（オ）補正事項オ
　補正事項オは，補正前の請求項１に記載の「別の図柄変動表示が大当りとなる」を，「前記第一の図柄変動表示よりも先に開始された図柄変動表示（以下，「第二の図柄変動表示」という。）が大当りとなる」に補正するものである。
（カ）補正事項カ
　補正事項カは，補正前の請求項１に，「大当り遊技の実行中に前記複数種類の保留アイコンが表示されないように構成されており，」との記載を付加する補正である。
（キ）補正事項キ
　補正事項キは，補正前の請求項１に，「前記第二の先読み予告は，前記第二の図柄変動表示に応じた前記大当り遊技（以下，「第三の大当り遊技」という。）の実行中に開始される場合がある先読み予告であり，」との記載を付加する補正である。
（ク）補正事項ク
　補正事項クは，「先読み予告」について，補正前の請求項１に，「前記第三の先読み予告は，前記第三の大当り遊技が終了してから前記第一の図柄変動表示が開始されるまでの間に開始される場合がある先読み予告である，」との記載を付加する補正である。
（２）補正の目的
（ア）補正事項アについて
　補正事項アは，補正前の記載から不要な記載である「少なくとも」を削除する補正であるから，明りょうでない記載の釈明を目的とする補正である。
（イ）補正事項イについて
　補正事項イは，平成２７年５月２７日付け拒絶理由通知において，「開始が保留されている前記図柄変動表示の数」との記載が，何の開始か不明であると指摘されたのに対して，「前記図柄変動表示の開始が保留されている数」との補正により，「図柄変動表示」の開始であることを明確にしたものであるから，明りょうでない記載の釈明を目的とする補正である。
（ウ）補正事項ウについて
　補正事項ウは，平成２７年５月２７日付け拒絶理由通知において，「大当りとなる場合にのみ表示される場合がある」との記載により一の発明を特定できないと指摘されたのに対して，「大当りとなる場合にのみ表示可能」との補正により明確になったものであるから，明りょうでない記載の釈明を目的とする補正である。
（エ）補正事項エについて
　補正事項エは，「先読み予告」について，第一の先読み予告と第二の先読み予告と，同じ図柄変動表示を対象として実行される先読み予告である「第三の先読み予告」を有することを限定するとともに，当該「第三の先読み予告」について，「前記第二の保留アイコンを用いた先読み予告であ」ることに限定するものであるから，限定的減縮を目的とする補正である。
（オ）補正事項オについて
　補正事項オは，「第一の図柄変動表示とは別の図柄変動表示」を「第一の図柄変動表示よりも先に開始された図柄変動表示」に具体的に限定するものであるから，限定的減縮を目的とする補正である。
（カ）補正事項カについて
　補正事項カは，「複数種類の保留アイコン」について，「大当り遊技の実行中に」「表示されないように構成」することに限定するものであるから，限定的減縮を目的とする補正である。
（キ）補正事項キについて
　補正事項キは，「第二の先読み予告」について，「前記第二の図柄変動表示に応じた前記大当り遊技の実行中に開始される場合がある」ことに限定するものであるから，限定的減縮を目的とする補正である。
（ク）補正事項クについて
　補正事項クは，上記補正事項エにより「先読み予告」を限定する構成として特定された「第三の先読み予告」について，「前記第三の大当り遊技が終了してから前記第一の図柄変動表示が開始されるまでの間に開始される場合がある」ことに限定するものであるから，限定的減縮を目的とする補正である。
（３）小括
　補正後の請求項１に記載された発明は，補正前の請求項１に記載された発明と，産業上の利用分野及び解決しようとする課題が同一である。
　したがって，本件補正は，特許法第１７条の２第５項第２号に規定する特許請求の範囲の減縮，または，同第４号に規定する明りょうでない記載の釈明を目的とする補正に該当する。
　また，本件補正は，新規事項を追加するものではない。
３．独立特許要件
　そこで，本件補正後の請求項１に記載された発明（以下，「本願補正発明」という。）が特許出願の際独立して特許を受けることができるものであるか否か，すなわち，特許法第１７条の２第６項において準用する同法第１２６条第７項の規定に適合するか否か，について以下に検討する。
（１）刊行物に記載された事項
　原査定の拒絶理由に引用された本願の出願前に頒布された特開２０１１−１１０２５７号公報（以下，「刊行物」という。）には，図面とともに次の事項が記載されている（下線は当審で付した。）。
（ア）「【００２２】
　〔第１実施形態〕
　まず，遊技機の一例である
パチンコ遊技機１
・・・
【００２５】
　遊技領域７の中央付近には，液晶表示装置（ＬＣＤ）で構成された演出表示装置９が設けられている。
演出表示装置９では，
演出図柄
の変動表示
が行なわれる
表示画面上で演出図柄を表示する演出図柄表示領域が設けられ
（イ）「【００３７】
　また，
演出表示装置９の表示画面には，第１保留記憶数を表示する第１保留記憶表示部１８ｃと，第２保留記憶数を表示する第２保留記憶表示部１８ｄとが設けられている
変動表示の開始条件が成立していない実行条件の成立数
を把握
（ウ）「【０１５８】
　次いで，ＣＰＵ５６は，検出した始動入賞に基づく変動がその後実行されたときの変動表示結果を始動入賞時に予め判定する入賞時演出処理を実行する（Ｓ２１６）。そして，第１始動入賞指定コマンドを送信する制御を行なう（Ｓ２１７）。また，ＣＰＵ５６は，第１保留記憶数と第２保留記憶数との合計である合計保留記憶数を示す合算保留記憶数カウンタの値を１増やす（Ｓ２１８）。そして，ＣＰＵ５６は，入賞時演出処理での入賞時判定の判定結果に基づいて第１始動入賞についての入賞時判定結果指定コマンドを
演出制御用マイクロコンピュータ１００
・・・
【０１６０】
　この実施の形態では，始動入賞に基づく判定結果を指定する入賞時判定結果指定コマンドに基づいて
保留記憶データの内容を，当該保留記憶に応じて行なわれる変動表示が開始されるよりも前に判定（先読み）し，変動表示が開始されるよりも前に当該保留記憶データに関する報知を行なう
先読み予告が行なわれる場合がある
先読み予告としては，保留予告演出が設けられ
先読み予告
としては，
大当り中予告演出がある
【０１６１】
　
保留予告演出は，大当り遊技状態中以外の通常遊技状態において，
予告報知を行なう予告報知演出である
大当り中予告演出は，
大当り遊技状態中の所定のタイミングで，
予告報知を行なう予告報知演出である
【０１６２】
　保留予告演出による大当りとなるか否かの示唆は，実際に大当りとなるときに行なわれる大当りの示唆と，実際にははずれとなるときに行なわれる大当りの示唆（所謂ガセ）とを含む。保留予告演出においては，大当りとなる期待度に応じて複数種類定められた予告演出態様としての保留予告態様のうちから保留予告態様が選択され，選択された保留予告態様で保留予告演出が行なわれる。また，先読み予告の変形例としての大当り中予告演出においては，大当りとなるか否かの示唆は，実際に大当りとなるときに行なわれる大当りの示唆と，実際にははずれとなるときに行なわれる大当りの示唆（所謂ガセ）とを含む。大当り中予告演出においては，大当りとなる期待度に応じて複数種類定められた予告演出態様としての大当り中予告態様のうちから大当り中予告態様が選択され，選択された予告演出態様としての大当り中予告態様で大当り中予告演出が行なわれる。なお，大当り中予告演出においては，大当りとなる期待度によらず固定的に定められた大当り中予告態様で大当り中予告演出を行なうようにしてもよい。また，
大当り中予告演出については，実際に大当りとなることが確定するときにのみ実行するようにしてもよい
（エ）「【０２１６】
　図１９（Ａ）においては，演出表示装置９において，「左」，「中」，「右」の図柄表示エリア９Ｌ，９Ｃ，９Ｒのすべてで演出図柄が停止表示されている状態が示されている。演出表示装置９においては，表示画面における下部左側の表示領域が，第１保留記憶表示部１８ｃの表示領域として割当てられており，表示画面における下部右側の表示領域が，第２保留記憶表示部１８ｄの表示領域として割当てられている。第１保留記憶表示部１８ｃおよび第２保留記憶表示部１８ｄのそれぞれにおいては，
１つの保留記憶データが発生するごとに，
白色の丸印
の
保留記憶画像１８０が１つずつ追加される態様で表示される
保留記憶画像１８０の表示数により，第１保留記憶表示部１８ｃおよび第２保留記憶表示部１８ｄのそれぞれにおいて，保留記憶数が示される
（オ）「【０２２５】
　保留予告演出が実行されないときには，図２０（１Ｄ）のように，
白色の丸印
の
通常の保留記憶画像１８０が追加表示される
追加表示される保留記憶画像１８０が，大当りとなる期待度に応じて複数種類定められた保留予告態様のうちから選択された保留予告態様で表示される
【０２２６】
　図２０（１Ｃ）に示す黒色の丸印は，保留予告演出における第１保留予告態様の保留記憶画像１８０の表示である。図２０（１Ｅ），（２Ｃ）に示す黒色の三角印は，保留予告演出における第２保留予告態様の保留記憶画像１８０の表示である。図２０（２Ｅ）に示す
黒色の四角印は，保留予告演出における第３保留予告態様の保留記憶画像１８０の表示である
第１保留予告態様〜第３保留予告態様について設定されている大当りとなる期待度の大小関係は，第１保留予告態様＜第２保留予告態様＜第３保留予告態様である
（カ）「【０２３６】
　図２１（１Ａ）〜（１Ｄ）を参照して，（１Ａ）に示すように大当り表示結果が表示された後，（１Ｂ），（１Ｃ）に示すように第１ラウンド〜第９ラウンドの大当り遊技状態の演出が特定のキャラクタを表示せずに行なわれる。
大当り遊技状態
においては，第１保留記憶表示部１８ｃおよび第２保留記憶表示部１８ｄによる保留記憶表示が行なわれない
【０２３７】
　図２１（２Ａ）〜（２Ｄ），図２２（３Ａ）〜（３Ｄ），または，図２２（４Ａ）〜（４Ｄ）を参照して，（２Ａ），(３Ａ）または(４Ａ）に示すように大当り表示結果が表示された後，（２Ｂ），（２Ｃ），（３Ｂ），（３Ｃ）または（４Ｂ），（４Ｃ）に示すように第１ラウンド〜第９ラウンドの
大当り遊技状態の
第１０ラウンドが開始したタイミングにおいて，
選択された大当り中予告態様で大当り中予告演出が行なわれる
【０２３８】
　図２１（２Ｄ）に示す
第１キャラクタ９４Ａは，大当り中予告演出における第１大当り中予告態様の表示である
（キ）「【０３６８】
　図４４は，Ｓ７０７の保留記憶表示制御処理の具体的制御内容を示すフローチャートである。図４５は，保留記憶表示制御処理において実行される入賞時先読み予告演出決定処理を示すフローチャートである。
【０３６９】
　保留記憶表示制御処理において，演出制御用ＣＰＵ１０１は，大当り遊技状態中であるか否かを判断する（Ｓ５２０）。具体的に，演出制御プロセスフラグの値を確認することに基づいて，演出制御プロセス処理が大当り表示処理（Ｓ８０４），ラウンド中処理（Ｓ８０５），ラウンド後処理（Ｓ８０６），大当り終了演出処理（Ｓ８０７）のような大当り遊技状態中に実行される処理であるとき（演出制御プロセスフラグがこれら処理に対応するものであるとき）に，大当り遊技状態中であると判断する。
大当り遊技状態中であるときは，
第１保留記憶表示部１８ｃおよび第２保留記憶表示部１８ｄのそれぞれによる保留記憶表示が中止される
・・・
【０３７２】
　第１未処理数カウンタが「１」以上であるときは，
第１当り判定結果記憶バッファ
に記憶された第１保留記憶のデータのうち，まだ保留記憶表示が実行されていない第１保留記憶のデータ
を保留判定対象として選択する
第２当り判定結果記憶バッファ
に記憶された第２保留記憶のデータのうち，まだ保留記憶表示が実行されていない第２保留記憶のデータ
を保留判定対象として選択する
・・・
【０３７５】
　次に，Ｓ５０３により，Ｓ５０２において保留予告演出が選択されたか否かを判断する（Ｓ５０３）。保留予告演出が選択されなかったときには，処理を終了する。
保留予告演出が選択されたときには，
保留判定対象の保留記憶データにおける当り判定結果
のデータを，第１当り判定結果記憶バッファ
または，第２当り判定結果記憶バッファ
において確認し，図３１に示す保留予告態様選択テーブルのうちから，当該保留判定対象に対応する保留予告態様選択テーブルを選択する
保留判定対象が確変大当りＡとなるときには，図３１（Ａ）の確変大当りＡ時保留予告態様選択テーブル
を用いて保留予告態様を，
選択する
・・・
【０３８７】
　Ｓ５２５においては，
保留判定対象に応じて，
通常の保留記憶表示の表示態様で，第１保留記憶表示部１８ｃまたは第２保留記憶表示部１８ｄの保留記憶表示を追加することにより，保留記憶表示を加算更新する表示を行ない
【０３８８】
　一方，Ｓ５２３で第１新規保留予告フラグまたは第２新規保留予告フラグがセットされているときは，
保留判定対象に応じて，
第１保留記憶表示部１８ｃまたは第２保留記憶表示部１８ｄにおいて追加することにより，保留記憶表示を加算更新する表示を行なう
・・・
【０３９５】
　図４６は，演出制御プロセス処理における演出図柄変動停止処理（Ｓ８０３）を示すフローチャートである。前述したように，演出図柄変動中処理において，変動表示時間タイマを用いて監視する変動時間が終了したという条件，または，図柄確定指定コマンドを受信したという条件が成立したときに，この演出図柄変動停止処理が実行される。なお，変動表示時間タイマを用いて監視する変動時間が終了したという条件が成立したときにのみ，演出図柄変動中処理に進むようにしてもよい。また，図柄確定指定コマンドを受信したこという条件が成立したときにのみ，演出図柄変動中処理に進むようにしてもよい。
・・・
【０３９８】
　一方，
大当りとなるときには，
【０３９９】
　そして，
そのときに表示されている第１保留記憶表示部１８ｃおよび第２保留記憶表示部１８ｄのそれぞれにおける保留記憶表示を消去する
（ク）「【０４１３】
　次に，図５０を参照して，先読み予告の変形例としての大当り中予告演出を実行するときにラウンド後処理で実行される大当中先読み予告演出決定処理の内容を説明する。大当中先読み予告演出決定処理において，演出制御用ＣＰＵ１０１は，
大当り中予告演出の保留判定対象として，第１当り判定結果記憶バッファおよび第２当り判定結果記憶バッファの記憶データを確認する
【０４１４】
　演出制御用ＣＰＵ１０１は，Ｓ７１１での保留判定対象の判定結果に基づいて，図３２に示す大当り中予告選択有無判定テーブルを用いて大当り中予告演出を選択するか否かを判定する（Ｓ７１２）。具体的に，Ｓ７１２においては，次のように判定を行なう。Ｓ７１１の判定において，確変大当りＡまたは確変大当りＢとなる当り判定結果があると判定されたときには，図３２（Ａ）に示す第１大当り中予告選択有無判定テーブルを選択する。一方，Ｓ７１１の判定において，確変大当りＡまたは確変大当りＢとなる当り判定結果がないと判定されたときには，図３２（Ｂ）に示す第２大当り中予告選択有無判定テーブルを選択する。そして，大当り中予告選択有無判定用の乱数としてのＳＲ５を抽出し，そのＳＲ５の抽出データに基づいて，選択した大当り中予告選択有無判定テーブルを用いて大当り中予告演出を選択するか否かを前述のように判定する。
【０４１５】
　次に，Ｓ７１３により，Ｓ７１２において大当り中予告演出が選択されたか否かを判断する（Ｓ７１３）。大当り中予告演出が選択されなかったときには，処理を終了する。
大当り中予告演出が選択されたときには，
保留判定対象の判定結果に基づいて，図３３に示す大当り中予告態様選択テーブルを用いて
大当り中予告態様を選択する
確変大当りＡ
となる当り判定結果があると判定されたときには，
第１大当り中予告態様選択テーブルを選択する
・・・
【０４１７】
　次に，図４９を用いてラウンド後処理におけるＳ１９７８の終了後の処理を説明する。演出制御用ＣＰＵ１０１は，大入賞口開放中フラグをリセットする（Ｓ１９８６）。そして，次ラウンドのラウンド中の演出に応じたプロセスデータを選択する（Ｓ１９８７）。第１０ラウンドの実行前に行なわれるＳ１９７８の大当り中先読み予告演出において，大当り中予告演出を実行することが決定されたときには，前述のように選択される大当り中予告態様で大当り中予告演出を行なうためのデータがＳ１９８７において選択される。これにより，
第１０ラウンドにおいて，
決定された大当り中予告態様で大当り中予告演出が実行される
（ケ）上記（イ）の段落【００３７】には，演出表示装置９の表示画面には，第１保留記憶数を表示する第１保留記憶表示部１８ｃと，第２保留記憶数を表示する第２保留記憶表示部１８ｄとが設けられること，上記（エ）の段落【０２１６】には，保留記憶画像１８０の表示数により，第１保留記憶表示部１８ｃおよび第２保留記憶表示部１８ｄのそれぞれにおいて，保留記憶数が示されること，上記（オ）の段落【０２２５】には，白色の丸印は，通常の保留記憶画像１８０であること，段落【０２２６】には，黒色の四角印は，保留予告演出における第３保留予告態様の保留記憶画像１８０の表示であること，とが記載されていることから，刊行物には，
複数の保留表示態様の保留記憶画像１８０を表示可能な演出表示装置９の第１保留記憶表示部１８ｃ及び第２保留記憶表示部１８ｄ
（コ）上記（イ）の段落【００３７】には，演出表示装置９の表示画面には，第１保留記憶数を表示する第１保留記憶表示部１８ｃと，第２保留記憶数を表示する第２保留記憶表示部１８ｄとが設けられ，変動表示の開始条件が成立していない実行条件の成立数を把握できること，上記（エ）の段落【０２１６】には，保留記憶画像１８０の表示数により，第１保留記憶表示部１８ｃおよび第２保留記憶表示部１８ｄのそれぞれにおいて，保留記憶数が示されること，とが記載されていることから，刊行物に記載された
保留記憶数とは，変動表示の開始条件が成立していない実行条件の成立数のことである
（サ）上記（エ）の段落【０２１６】には，１つの保留記憶データが発生するごとに，白色の丸印の保留記憶画像１８０が１つずつ追加される態様で表示されること，上記（オ）の段落【０２２５】には，白色の丸印は，通常の保留記憶画像１８０であること，段落【０２２６】には，黒色の四角印は，保留予告演出における第３保留予告態様の保留記憶画像１８０の表示であること，大当りとなる期待度の大小関係は，第１，２保留予告態様＜第３保留予告態様であること，とが記載されていることから，刊行物には，
複数種類の保留表示態様の保留記憶画像１８０のうちの一つは，通常（白色の丸印）の保留記憶画像１８０であり，複数種類の保留表示態様の保留記憶画像１８０のうちの一つは，第３保留予告態様（黒色の四角印）の保留記憶画像１８０であり，第３保留予告態様の保留記憶画像１８０は大当りとなる期待度が大きい保留記憶画像１８０であり，第３保留予告態様の保留記憶画像１８０は，通常の保留記憶画像１８０とは表示態様が異なる保留記憶画像１８０である
（シ）上記（ウ）の段落【０１６０】には，先読み予告が行なわれる場合があり，先読み予告としては，保留予告演出と大当り中予告演出とがあることが記載されていることから，刊行物に記載された
複数種類の先読み予告のうちの一つは，保留予告演出であり，複数種類の先読み予告のうちの一つは，大当り中予告演出である
（ス）上記（オ）の段落【０２２６】には，黒色の四角印は，保留予告演出における第３保留予告態様の保留記憶画像１８０の表示であることが記載されていることから，刊行物に記載された
保留予告演出は，第３保留予告態様の保留記憶画像１８０を用いた先読み予告を含む
（セ）上記（エ）の段落【０２１６】には，保留記憶画像１８０の表示数により，第１保留記憶表示部１８ｃおよび第２保留記憶表示部１８ｄのそれぞれにおいて，保留記憶数が示されること，上記（カ）の段落【０２３６】には，大当り遊技状態においては，第１保留記憶表示部１８ｃおよび第２保留記憶表示部１８ｄによる保留記憶表示が行なわれないこと，段落【０２３７】には，大当り遊技状態の第１０ラウンドが開始したタイミングにおいて，選択された大当り中予告態様で大当り中予告演出が行なわれること，段落【０２３８】には，第１キャラクタ９４Ａは，大当り中予告演出における第１大当り中予告態様の表示であること，とが記載されていることから，刊行物に記載された
大当り中予告演出は，保留記憶画像１８０を用いない先読み予告である
（ソ）上記（カ）の段落【０２３７】には，大当り遊技状態の第１０ラウンドが開始したタイミングにおいて，選択された大当り中予告態様で大当り中予告演出が行なわれること，上記（キ）の段落【０３６９】には，大当り遊技状態中であるときは，第１保留記憶表示部１８ｃおよび第２保留記憶表示部１８ｄのそれぞれによる保留記憶表示が中止されること，段落【０３９８】〜【０３９９】には，大当りとなるときには，そのときに表示されている第１保留記憶表示部１８ｃおよび第２保留記憶表示部１８ｄのそれぞれにおける保留記憶表示を消去することが記載されている。
　このことから，保留予告演出における保留記憶表示が表示されているときに，大当り遊技状態となると，当該保留記憶表示が中止（消去）され，その後の第１０ラウンドが開始したタイミングで大当り中予告演出が行われることが記載されているといえる。
　したがって，刊行物には，
保留予告演出を行った後で，大当り中予告演出を開始可能であること
保留予告演出は，大当り中予告演出が開始される前に中止される先読み予告であること
（タ）上記（キ）の段落【０３７２】には，第１当り判定結果記憶バッファに記憶された第１保留記憶のデータのうち，まだ保留記憶表示が実行されていない第１保留記憶のデータを保留判定対象として選択すること，第２当り判定結果記憶バッファに記憶された第２保留記憶のデータのうち，まだ保留記憶表示が実行されていない第２保留記憶のデータを保留判定対象として選択すること，段落【０３７５】には，保留予告演出が選択されたときには，保留判定対象の保留記憶データにおける当り判定結果のデータを，第１当り判定結果記憶バッファまたは第２当り判定結果記憶バッファにおいて確認し，保留判定対象が確変大当りＡとなるときには，確変大当りＡ時保留予告態様選択テーブルを用いて保留予告態様を選択すること，段落【０３８７】，【０３８８】には保留判定対象に応じて，第１保留記憶表示部１８ｃまたは第２保留記憶表示部１８ｄにおいて保留記憶表示を加算更新する表示を行なうこと，上記（ク）の段落【０４１３】には，大当り中予告演出の保留判定対象として，第１当り判定結果記憶バッファおよび第２当り判定結果記憶バッファの記憶データを確認すること，段落【０４１５】には，大当り中予告演出が選択されたときに，確変大当りＡとなる当り判定結果があると判定されたときには，第１大当り中予告態様選択テーブルを用いて大当り中予告態様を選択すること，段落【０４１７】には，第１０ラウンドにおいて，決定された大当り中予告態様で大当り中予告演出が実行されること，とが記載されている。
　このことから，第１保留記憶表示部１８ｃまたは第２保留記憶表示部１８ｄにおける保留予告演出と大当り中予告演出とは，同じ判定結果記憶バッファに記憶されている確変大当りＡとなる保留記憶データを用いて実行されることは明らかである。
　そして，上記（ウ）の段落【０１６０】には，先読み予告は，保留記憶データの内容を，当該保留記憶に応じて行なわれる変動表示が開始されるよりも前に判定（先読み）し，変動表示が開始されるよりも前に当該保留記憶データに関する報知を行うものであること，先読み予告としては，保留予告演出と大当り中予告演出とがあること，段落【０１６１】には，保留予告演出は，大当り遊技状態中以外の通常遊技状態において，予告報知を行なう予告報知演出であり，大当り中予告演出は，大当り遊技状態中の所定のタイミングで，予告報知を行なう予告報知演出であること，上記（キ）の段落【０３６９】には，大当り遊技状態中であるときは，第１保留記憶表示部１８ｃおよび第２保留記憶表示部１８ｄのそれぞれによる保留記憶表示が中止されること，との記載を参酌すれば，保留予告演出と大当り中予告演出とにおいて，同じ判定結果記憶バッファに記憶されている保留記憶データの中で同じ保留記憶データが予告対象となり得ることは，明らかである。
　したがって，保留記憶データと保留記憶に応じて行われる変動表示とは一対一に対応することは明らかであるから，刊行物に記載された
第１保留記憶表示部１８ｃまたは第２保留記憶表示部１８ｄにおける保留予告演出と大当り中予告演出とは，確変大当りＡとなる同じ変動表示を予告対象として実行される先読み予告である
（チ）上記（ウ）の段落【０１６０】には，先読み予告は，保留記憶データの内容を，当該保留記憶に応じて行なわれる変動表示が開始されるよりも前に判定（先読み）し，変動表示が開始されるよりも前に当該保留記憶データに関する報知であること，先読み予告としては，保留予告演出と大当り中予告演出とがあること，段落【０１６１】には，保留予告演出は，大当り遊技状態中以外の通常遊技状態において，予告報知を行なう予告報知演出であり，大当り中予告演出は，大当り遊技状態中の所定のタイミングで，予告報知を行なう予告報知演出であること，上記（キ）の段落【０３６９】には，大当り遊技状態中であるときは，第１保留記憶表示部１８ｃおよび第２保留記憶表示部１８ｄのそれぞれによる保留記憶表示が中止されること，とが記載されている。
　そして，大当り遊技状態中において中止される第１保留記憶表示部１８ｃおよび第２保留記憶表示部１８ｄの保留記憶表示は，当該大当り遊技状態に対応する変動表示よりも後の変動表示を予告対象とした保留記憶表示であることは自明である。
　したがって，刊行物に記載された
保留予告演出は，予告対象の変動表示よりも前の変動表示で大当り遊技状態となると中止される先読み予告である
（ツ）上記（カ）の段落【０２３６】には，大当り遊技状態においては，第１保留記憶表示部１８ｃおよび第２保留記憶表示部１８ｄによる保留記憶表示が行なわれないこと，との記載から，刊行物には，
大当り遊技状態においては，複数の保留表示態様の保留記憶画像１８０の表示が行われない
（テ）段落【０１６２】には，大当り中予告演出については，実際に大当りとなることが確定するときにのみ実行するようにしてもよいことが記載されていることから，刊行物に記載された
大当り中予告演出は，大当りとなることが確定するときに実行可能な先読み予告である
（ト）上記（ウ）の段落【０１６０】には，先読み予告は，保留記憶データの内容を，当該保留記憶に応じて行なわれる変動表示が開始されるよりも前に判定（先読み）し，変動表示が開始されるよりも前に当該保留記憶データに関する報知を行うものであること，先読み予告としては，保留予告演出と大当り中予告演出とがあること，上記（カ）の段落【０２３７】には，大当り遊技状態の第１０ラウンドが開始したタイミングにおいて，選択された大当り中予告態様で大当り中予告演出が行なわれること，とが記載されている。
　そして，大当り中予告演出が行われているタイミングにおける大当り遊技状態に対応する変動表示は，大当り中予告演出が予告対象とする変動表示よりも前の変動表示であることは自明である。
　したがって，刊行物に記載された
大当り中予告演出は，予告対象の変動表示よりも前の変動表示に応じた大当り遊技状態中に開始される先読み予告である
　上記の記載事項（ア）〜（ク），及び上記の認定事項（ケ）〜（ト）から，刊行物には，次の発明（以下，「引用発明」という。）が記載されていると認められる。
「演出図柄の変動表示が行われる演出表示装置９の演出図柄表示領域と，（記載事項（ア））
　複数の保留表示態様の保留記憶画像１８０を表示可能な演出表示装置９の第１保留記憶表示部１８ｃ及び第２保留記憶表示部１８ｄとを備え，（認定事項（ケ））
　演出制御用マイクロコンピュータ１００により，先読み予告が行なわれる場合があり，先読み予告としては，保留予告演出と大当り中予告演出とがあり，（記載事項（ウ））
　保留記憶画像１８０の表示数により，第１保留記憶表示部１８ｃおよび第２保留記憶表示部１８ｄのそれぞれにおいて，保留記憶数が示され，（記載事項（エ））
　保留記憶数とは，変動表示の開始条件が成立していない実行条件の成立数のことであり，（認定事項（コ））
　複数種類の保留表示態様の保留記憶画像１８０のうちの一つは，通常（白色の丸印）の保留記憶画像１８０であり，
　複数種類の保留表示態様の保留記憶画像１８０のうちの一つは，第３保留予告態様（黒色の四角印）の保留記憶画像１８０であり，
　第３保留予告態様の保留記憶画像１８０は大当りとなる期待度が大きい保留記憶画像１８０であり，
　第３保留予告態様の保留記憶画像１８０は，通常の保留記憶画像１８０とは表示態様が異なる保留記憶画像１８０であり，（認定事項（サ））
　複数種類の先読み予告のうちの一つは，保留予告演出であり，
　複数種類の先読み予告のうちの一つは，大当り中予告演出であり，（認定事項（シ））
　保留予告演出は，第３保留予告態様の保留記憶画像１８０を用いた先読み予告を含み，（認定事項（ス））
　大当り中予告演出は，保留記憶画像１８０を用いない先読み予告であり，（認定事項（セ））
　保留予告演出を行った後で，大当り中予告演出を開始可能であり，（認定事項（ソ））
　第１保留記憶表示部１８ｃまたは第２保留記憶表示部１８ｄにおける保留予告演出と大当り中予告演出とは，確変大当りＡとなる同じ変動表示を予告対象として実行される先読み予告であり，（認定事項（タ））
　保留予告演出は，予告対象の変動表示よりも前の変動表示で大当り遊技状態となると中止される先読み予告であり，（認定事項（チ））
　大当り遊技状態においては，複数の保留表示態様の保留記憶画像１８０の表示が行われず，（認定事項（ツ））
　保留予告演出は，大当り中予告演出が開始される前に中止される先読み予告であり，（認定事項（ソ））
　大当り中予告演出は，大当りとなることが確定するときに実行可能な先読み予告であり，（認定事項（テ））
　大当り中予告演出は，予告対象の変動表示よりも前の変動表示に応じた大当り遊技状態中に開始される先読み予告である，（認定事項（ト））
　パチンコ遊技機１。（記載事項（ア））」
（２）対比
　本願補正発明と引用発明とを対比する。
（ａ）引用発明の「演出図柄の変動表示」及び「演出表示装置９の演出図柄表示領域」は，それぞれ本願補正発明の「図柄変動表示」及び「第一の表示手段」に相当する。
　このことから，引用発明の「演出図柄の変動表示が行われる演出表示装置９の演出図柄表示領域」は，本願補正発明の「図柄変動表示を実行可能な第一の表示手段」に相当する。
（ｂ）引用発明の「保留記憶画像１８０」及び「演出表示装置９の第１保留記憶表示部１８ｃ及び第２保留記憶表示部１８ｄ」は，それぞれ本願補正発明の「保留アイコン」及び「第二の表示手段」に相当する。
　このことから，引用発明の「複数の保留表示態様の保留記憶画像１８０を表示可能な演出表示装置９の第１保留記憶表示部１８ｃ及び第２保留記憶表示部１８ｄ」は，本願補正発明の「複数種類の保留アイコンを表示可能な第二の表示手段」に相当する。
（ｃ）引用発明の「演出制御用マイクロコンピュータ１００」は，これにより「先読み予告が行なわれる場合があり，先読み予告としては，保留予告演出と大当り中予告演出とがあ」ることから，本願補正発明の「複数種類の先読み予告を実行可能な予告手段」に相当するといえる。
（ｄ）引用発明の「保留記憶数」は，本願補正発明の「保留数」に相当する。
　そして，引用発明の「保留記憶画像１８０の表示数により，第１保留記憶表示部１８ｃおよび第２保留記憶表示部１８ｄのそれぞれにおいて，保留記憶数が示され」ることは，本願補正発明の「前記第二の表示手段は，表示された保留アイコンの数により保留数を報知可能な表示手段であ」ることと，同じ意味を持つ。
（ｅ）引用発明の「変動表示の開始条件が成立していない実行条件の成立数」は，本願補正発明の「図柄変動表示の開始が保留されている数」に相当する。
　このことから，引用発明の「保留記憶数とは，変動表示の開始条件が成立していない実行条件の成立数のこと」は，本願補正発明の「前記保留数とは，前記図柄変動表示の開始が保留されている数のこと」に相当する。
（ｆ）引用発明の「通常（白の丸印）の保留記憶画像１８０」及び「第３保留予告態様（黒色の四角印）の保留記憶画像１８０」は，それぞれ本願補正発明の「第一の保留アイコン」及び「第二の保留アイコン」に相当する。
　このことから，引用発明の「複数種類の保留表示態様の保留記憶画像１８０のうちの一つは，通常（白色の丸印）の保留記憶画像１８０であり，複数種類の保留表示態様の保留記憶画像１８０のうちの一つは，第３保留予告態様（黒色の四角印）の保留記憶画像１８０であり，」「第３保留予告態様の保留記憶画像１８０は，通常の保留記憶画像１８０とは表示態様が異なる保留記憶画像１８０であ」ることは，本願補正発明の「前記複数種類の保留アイコンのうちの一つは，第一の保留アイコンであり，前記複数種類の保留アイコンのうちの一つは，第二の保留アイコンであり，」「前記第二の保留アイコンは，前記第一の保留アイコンとは表示態様が異なる保留アイコンであ」ることに相当する。
（ｇ）上記（ｆ）で検討したことから，引用発明の「第３保留予告態様の保留記憶画像１８０は大当りとなる期待度が大きい保留記憶画像１８０であ」ることは，第３保留予告態様の保留記憶画像１８０が大当りとなる場合に表示可能であるから，本願補正発明の「前記第二の保留アイコンは，大当りとなる場合にのみ表示可能な保留アイコンである」ことと，「第二の保留アイコンは，大当りとなる場合に」「表示可能な保留アイコンであ」る点で共通する。
（ｈ）引用発明の「保留予告演出」及び「大当り中予告演出」は，それぞれ本願補正発明の「第一の先読み予告」及び「第二の先読み予告」に相当する。
　このことから，引用発明の「複数種類の先読み予告のうちの一つは，保留予告演出であり，複数種類の先読み予告のうちの一つは，大当り中予告演出であ」ることは，本願補正発明の「前記複数種類の先読み予告のうちの一つは，第一の先読み予告であり，前記複数種類の先読み予告のうちの一つは，第二の先読み予告であ」ることに相当する。
（ｉ）上記（ｆ），（ｈ）で検討したことから，引用発明の「保留予告演出は，第３保留予告態様の保留記憶画像１８０を用いた先読み予告であ」ることは，本願補正発明の「前記第一の先読み予告は，前記第二の保留アイコンを用いた先読み予告であ」ることに相当する。
（ｊ）上記（ｂ），（ｆ）で検討したことから，引用発明の「大当り中予告演出は，保留記憶画像１８０を用いない先読み予告であ」ることは，本願補正発明の「前記第二の先読み予告は，前記保留アイコンを用いない先読み予告であ」ることに相当する。
（ｋ）上記（ｃ），（ｈ）で検討したことから，引用発明の「保留予告演出を行った後で，大当り中予告演出を開始可能であ」る構成は，本願補正発明の「前記予告手段は，前記第一の先読み予告を開始した後で前記第二の先読み予告を開始可能な手段であ」ることと同じ意味をもつといえる。
（ｌ）引用発明の「確変大当りＡとなる同じ変動表示」は，本願補正発明の「同じ前記図柄変動表示（以下，「第一の図柄変動表示」という。）」に相当する。
　以上のことと，上記（ｈ）で検討したこととから，引用発明の「第１保留記憶表示部１８ｃまたは第２保留記憶表示部１８ｄにおける保留予告演出と大当り中予告演出とは，確変大当りＡとなる同じ変動表示を予告対象として実行される先読み予告であ」ることは，本願補正発明と「前記第一の先読み予告と前記第二の先読み予告と」「は，同じ前記図柄変動表示（以下，「第一の図柄変動表示」という。）を対象として実行される先読み予告であ」る点で共通する。
（ｍ）引用発明の「予告対象の変動表示よりも前の変動表示」及び「大当り遊技状態」は，それぞれ本願補正発明の「前記第一の図柄変動表示よりも先に開始された図柄変動表示（以下，「第二の図柄変動表示」という。）」及び「大当り」に相当する。
　以上のことと，上記（ｈ）で検討したこととから，引用発明の「保留予告演出は，予告対象の変動表示よりも前の変動表示で大当り遊技状態となると中止される先読み予告であ」ることは，本願補正発明の「前記第一の先読み予告は，前記第一の図柄変動表示よりも先に開始された図柄変動表示（以下，「第二の図柄変動表示」という。）が大当りとなることに関連して終了される先読み予告であ」ることに相当する。
（ｎ）上記（ｂ），（ｍ）で検討したことから，引用発明の「大当り遊技状態においては，複数の保留表示態様の保留記憶画像１８０の表示が行われ」ない構成は，本願補正発明の「大当り遊技の実行中に前記複数種類の保留アイコンが表示されないように構成されて」ていることに相当する。
（ｏ）上記（ｈ）で検討したことから，引用発明の「保留予告演出は，大当り中予告演出が開始される前に中止される先読み予告であ」ることは，本願補正発明の「前記第一の先読み予告は，前記第二の先読み予告が開始される前に終了される先読み予告であ」ることに相当する。
（ｐ）上記（ｈ），（ｌ）で検討したことから，引用発明の「大当り中予告演出は，大当りとなることが確定するときに実行可能な先読み予告であ」ることは，予告対象の変動表示が大当りとなるときであるから，本願補正発明の「前記第二の先読み予告は，前記第一の図柄変動表示が大当りとなることを報知可能な先読み予告であ」ることに相当する。
（ｑ）引用発明の「予告対象の変動表示よりも前の変動表示に応じた大当り遊技状態中」は，本願補正発明の「前記大当り遊技（以下，「第三の大当り遊技」という。）の実行中」に相当する。
　以上のことと，上記（ｈ）で検討したこととから，引用発明の「大当り中予告演出は，予告対象の変動表示よりも前の変動表示に応じた大当り遊技状態中に開始される先読み予告であ」ることは，本願補正発明の「前記第二の先読み予告は，前記第二の図柄変動表示に応じた前記大当り遊技（以下，「第三の大当り遊技」という。）の実行中に開始される場合がある先読み予告であ」ることに相当する。
（ｒ）引用発明の「パチンコ遊技機１」は，本願補正発明の「遊技台」に相当する。
　上記（ａ）〜（ｒ）により，本願補正発明と引用発明とは，
「図柄変動表示を実行可能な第一の表示手段と，
　複数種類の保留アイコンを表示可能な第二の表示手段と，
　複数種類の先読み予告を実行可能な予告手段と，
を備えた遊技台であって，
　前記第二の表示手段は，表示された保留アイコンの数により保留数を報知可能な表示手段であり，
　前記保留数とは，前記図柄変動表示の開始が保留されている数のことであり，
　前記複数種類の保留アイコンのうちの一つは，第一の保留アイコンであり，
　前記複数種類の保留アイコンのうちの一つは，第二の保留アイコンであり，
　前記第二の保留アイコンは，大当りとなる場合に表示可能な保留アイコンであり，
　前記第二の保留アイコンは，前記第一の保留アイコンとは表示態様が異なる保留アイコンであり，
　前記複数種類の先読み予告のうちの一つは，第一の先読み予告であり，
　前記複数種類の先読み予告のうちの一つは，第二の先読み予告であり，
　前記第一の先読み予告は，前記第二の保留アイコンを用いた先読み予告であり，
　前記第二の先読み予告は，前記保留アイコンを用いない先読み予告であり，
　前記予告手段は，前記第一の先読み予告を開始した後で前記第二の先読み予告を開始可能な手段であり，
　前記第一の先読み予告と前記第二の先読み予告とは，同じ前記図柄変動表示（以下，「第一の図柄変動表示」という。）を対象として実行される先読み予告であり，
　前記第一の先読み予告は，前記第一の図柄変動表示よりも先に開始された図柄変動表示（以下，「第二の図柄変動表示」という。）が大当りとなることに関連して終了される先読み予告であり，
　大当り遊技の実行中に前記複数種類の保留アイコンが表示されないように構成されており，
　前記第一の先読み予告は，前記第二の先読み予告が開始される前に終了される先読み予告であり，
　前記第二の先読み予告は，前記第一の図柄変動表示が大当りとなることを報知可能な先読み予告であり，
　前記第二の先読み予告は，前記第二の図柄変動表示に応じた前記大当り遊技（以下，「第三の大当り遊技」という。）の実行中に開始される場合がある先読み予告である，
ことを特徴とする遊技台」
　である点で一致し，以下の点で相違する。
［相違点１］
　「第二の保留アイコン」について，本願補正発明は「大当りとなる場合にのみ」表示可能であるのに対し，引用発明は「大当たりとなる場合に」表示可能な点。
［相違点２］
　「複数種類の先読み予告のうちの一つ」として，本願補正発明は，第一の先読み予告及び第二の先読み予告と同じ第一の図柄変動表示を対象とし，先に開始された第二の図柄変動表示に応じた大当り遊技が終了してから，第一の図柄変動表示が開始されるまでの間に開始される場合がある，第二の保留アイコンを用いた第三の先読み予告を実行可能であるのに対し，引用発明は，予告対象の変動表示よりも前の変動表示に応じた大当り遊技状態が終了してから，予告対象の変動表示の前に第３保留予告態様の保留記憶画像１８０を表示する保留予告演出を行うか否か明記されていない点。
（３）判断
　上記相違点について検討する。
［相違点１について］
　本願出願前に遊技機の分野において，大当り確定の場合にのみ用いられる保留表示態様で保留表示を行う構成は周知技術（特開２０１０−３５９４２号公報の段落【０４６８】〜【０４６９】，図４９（ａ），（ｂ）には，大当たり当選となることを，第１保留表示領域Ｇａまたは第２保留表示領域Ｇｂにおける「当」との表示により把握できることが示されている。特開２０１０−５７７２５号公報の段落【００７８】〜【００７９】，図８には，始動記憶表示６０において，特殊表示として「Ｖ」を表示する第１特殊表示の場合には，１５ラウンドである特別結果の導出が確定であることを報知することが示されている。特開２０１１−２２９５４８号公報の段落【００７９】には，大当り当選値と一致している大当り抽選乱数の保留の場合には，保留表示部２５ｄとして星図形「☆」の図柄を表示させることが記載されている。以下，「周知技術１」という。）である。
　そして，引用発明と周知技術１とは，大当りに関連した保留表示態様で保留表示を行う点で共通していることから，引用発明の第二の保留アイコン（第３保留予告態様（黒色の四角印）の保留記憶画像１８０）を，大当たりの場合に表示可能とする構成に換えて，当該周知技術１を適用し，大当り確定の場合にのみ表示可能とする，上記相違点１に係る本願補正発明の構成とすることは，当業者が容易になし得たことである。
［相違点２について］
　本願出願前に遊技機の分野において，大当り遊技の終了時に，大当り遊技の開始よりも前に実行されていた保留表示を用いた先読み予告と同様の先読み予告を再開する構成は周知技術（特開２０１０−２４６６９８号公報の段落【００９４】，【００９８】〜【００９９】，図２２，２５には，大当り終了時処理において，先読み演出再開処理を行って，保留図柄１００，１０１として先読み図柄を表示することが記載されている。特開２０１１−２２９５４８号公報の段落【００７８】〜【００７９】，【０１５７】〜【０１６４】，図３，１５には，大当り遊技終了時処理において，大当り遊技終了時事前判定処理を行って，保留表示部２５ｄの表示を用いた予告演出が行われることが記載されている。以下，「周知技術２」という。）である。
　そして，引用発明と周知技術２とは，大当り遊技の開始よりも前に当該大当り遊技よりも後の変動表示を予告対象として保留表示を用いた先読み予告が実行され，大当り遊技の開始後にも当該変動表示を予告対象として先読み予告を行う点で共通していることから，引用発明の大当り遊技の開始前の第二の保留アイコンを用いた第一の先読み予告及び大当り遊技中の第二の保留アイコンを用いない第二の先読み予告を行う構成に，当該周知技術２を適用し，大当り遊技の終了時に第二の保留アイコンを用いた先読み予告（第三の先読み予告）を行う構成とする，上記相違点２に係る本願補正発明の構成とすることは，当業者が容易になし得たことである。
　また，本願補正発明の作用効果は，引用発明及び周知技術１〜２からみて，当業者の予測し得ない格別なものではない。
　ここで，審判請求人の主張について検討する。
　審判請求書において，請求人は，原査定の拒絶の理由に引用された引用文献１（刊行物）について，「しかしながら，引用文献１には，先読み予告の対象である第一の図柄変動表示よりも先に開始された第二の図柄変動表示が大当りとなった場合に，当該大当りに係る第三の大当り遊技の実行中において第一の先読み予告として表示されていた第二の保留アイコンを含む保留アイコンを消去し，当該第三の大当り遊技の終了後に開始される，第一の図柄変動表示を対象とした先読み予告（第三の先読み予告）において，第一の先読み予告で使用していたのと同じ第二の保留アイコンを用いることについての記載は一切なく，示唆すらもありません。」（第１７頁第２７行〜第１８頁第５行）
「一方，引用文献１には，上記本願発明特有の効果を奏するような構成については記載も示唆もありません。 」（第１８頁第２４〜２５行）
　と主張している。
　しかしながら，上記［相違点２について］で検討したとおり，本願出願前に遊技機の分野において，請求人の主張する上記本願発明特有の効果を奏するような構成は周知技術（上記周知技術２）であり，引用文献１の保留予告演出及び大当り中予告演出を行う構成に，当該周知技術２を適用することは，当業者が容易になし得たことである。
　したがって，請求人の主張は採用できない。
　よって，本願補正発明は引用発明及び周知技術１〜２に基づいて当業者が容易に発明できたものであり，特許法第２９条第２項の規定に基づいて特許出願の際独立して特許を受けることができない。
４．むすび
　よって，本件補正は，特許法第１７条の２第６項において準用する同法第１２６条第７項の規定に違反するので，同法第１５９条第１項において読み替えて準用する同法第５３条第１項の規定により却下すべきものである。
第３　本願発明
　本件補正は，上記のとおり却下されることとなったので，本願の請求項１〜１４に係る発明は，平成２６年８月１８日付け手続補正書により補正された特許請求の範囲の請求項１〜１４に記載された事項により特定されるとおりのものであるところ，その請求項１に係る発明（以下，「本願発明」という。）は，上記「第２［理由］１．本件補正の概要」に本件補正前の請求項１として記載したとおりのものである。
１．刊行物
　原査定の拒絶理由に引用された本願の出願前に頒布された刊行物の記載事項及び引用発明の認定については，上記「第２［理由］３．（１）刊行物」に記載したとおりである。
２．対比
　本願発明と引用発明とを対比する。
　本願発明は，上記「第２［理由］」で検討した本願補正発明に対し，「先読み予告」について「第三の先読み予告」に関連した限定，「第一の図柄変動表示とは別の図柄変動表示」を「第一の図柄変動表示よりも先に開始された図柄変動表示」にする限定，「複数種類の保留アイコン」について「大当り遊技の実行中に」「表示されないように構成」する限定，及び「第二の先読み予告」について「前記第二の図柄変動表示に応じた前記大当り遊技の実行中に開始される場合がある」ことにする限定を省くことを含むものである。
　そして，上記「第２［理由］３．（２）対比」を参酌すると，本願発明と引用発明とは，
「図柄変動表示を少なくとも実行可能な第一の表示手段と，
　複数種類の保留アイコンを少なくとも表示可能な第二の表示手段と，
　複数種類の先読み予告を少なくとも実行可能な予告手段と，
を備えた遊技台であって，
　前記第二の表示手段は，表示された保留アイコンの数により保留数を少なくとも報知可能な表示手段であり，
　前記保留数とは，開始が保留されている前記図柄変動表示の数のことであり，
　前記複数種類の保留アイコンのうちの少なくとも一つは，第一の保留アイコンであり，
　前記複数種類の保留アイコンのうちの少なくとも一つは，第二の保留アイコンであり，
　前記第二の保留アイコンは，大当りとなる場合に表示される場合がある保留アイコンであり，
　前記第二の保留アイコンは，前記第一の保留アイコンとは表示態様が少なくとも異なる保留アイコンであり，
　前記複数種類の先読み予告のうちの少なくとも一つは，第一の先読み予告であり，
　前記複数種類の先読み予告のうちの少なくとも一つは，第二の先読み予告であり，
　前記第一の先読み予告は，前記第二の保留アイコンを用いた先読み予告であり，
　前記第二の先読み予告は，前記保留アイコンを用いない先読み予告であり，
　前記予告手段は，前記第一の先読み予告を開始した後で前記第二の先読み予告を少なくとも開始可能な手段であり，
　前記第一の先読み予告と前記第二の先読み予告は，同じ前記図柄変動表示（以下，「第一の図柄変動表示」という。）を対象として実行される先読み予告であり，
　前記第一の先読み予告は，前記第一の図柄変動表示とは別の図柄変動表示が大当りとなることに関連して少なくとも終了される先読み予告であり，
　前記第一の先読み予告は，前記第二の先読み予告が開始される前に少なくとも終了される先読み予告であり，
　前記第二の先読み予告は，前記第一の図柄変動表示が大当りとなることを少なくとも報知可能な先読み予告である，
ことを特徴とする遊技台。」
　である点で一致し，以下の点で相違する。
［相違点］
　「第二の保留アイコン」について，本願発明は「大当りとなる場合にのみ」表示される場合があるのに対し，引用発明は「大当たりとなる場合に」表示される場合がある点。
３．判断
　上記相違点について検討する。
　［相違点について］
　上記相違点に係る本願発明の構成は，上記「第２［理由］３．（３）判断」に［相違点１について］に係る判断として記載したのと同様の理由により，引用発明及び周知技術１に基づいて当業者が容易に想到することができたものである。
　さらに，本願発明の作用効果も，引用発明及び周知技術１から当業者が予測できる範囲のものであり，格別顕著なものとはいえない。
　したがって，本願発明は，引用発明及び周知技術１に基づいて当業者が容易に発明をすることができたものである。
４．むすび
　以上のとおり，本願発明は，特許法第２９条第２項の規定により特許を受けることができないものである。
　したがって，その余の請求項について検討するまでもなく，本願は拒絶すべきものである。
　よって，結論のとおり審決する。